(57)【要約】      （修正有）【課題】介護者に余計な手間を強いることなく、記憶に頼らない正確な介護記録を実現する介護記録支援システム、介護記録支援システム用プログラム、端末用プログラム、機器用プログラム、およびサーバー用プログラムを提供する。【解決手段】介護記録支援システム１０において、端末１００は、施設内における介護者の位置を特定する位置情報を取得する位置情報取得部と、介護者の音声を取得する音声取得部と、音声に含まれる、被介護者の介護状況に関する介護状況情報を抽出する抽出部と、位置情報に基づいて被介護者の介護に関する設定情報を特定する特定部と、設定情報と介護状況情報とを関連付けて被介護者の介護記録として記録する記録部と、を有する。【選択図】図１
2019008656.tif 000002
【特許請求の範囲】
【請求項１】
端末を携帯する介護者の施設内の位置を特定する位置情報を取得する位置情報取得部と、
前記介護者の音声を取得する音声取得部と、
取得された前記音声に含まれる、被介護者の介護状況に関する介護状況情報を抽出する抽出部と、
取得された前記位置情報に基づいて前記被介護者の介護に関する設定情報を特定する特定部と、
特定された前記設定情報と、抽出された前記介護状況情報とを関連付けて前記被介護者の介護記録として記録する記録部と、
を有する介護記録支援システム。
【請求項２】
前記設定情報は、介護した日時、介護した場所、前記介護者の氏名、および前記被介護者の氏名を含む、請求項１に記載の介護記録支援システム。
【請求項３】
前記抽出部は、前記音声に含まれる所定のキーワードを認識し、認識した前記キーワードと、前記キーワードの前および後の少なくともいずれか一方の言葉とを、前記介護状況情報として抽出し、
前記記録部は、前記設定情報と前記介護状況情報とを、前記被介護者の介護記録に文字により記録する、請求項１または２に記載の介護記録支援システム。
【請求項４】
前記施設内の前記被介護者が滞在する範囲内に設置され、電波の発信元を特定可能な発信元情報を含む前記電波を発信する発信部と、
前記介護者により携帯され、前記電波を受信する受信部と、をさらに有し、
前記位置情報取得部は、前記受信部により受信される前記電波に含まれる前記発信元情報と、前記電波の強度とに基づいて前記位置情報を取得する、請求項１〜３のいずれか一項に記載の介護記録支援システム。
【請求項５】
前記施設内の前記被介護者が滞在する範囲内に新たに人が進入したことを検知する検知部をさらに有し、
前記発信部は、前記検知部により前記被介護者が滞在する範囲内に新たに人が進入したことが検知されたときに前記電波の発信を開始する、請求項４に記載の介護記録支援システム。
【請求項６】
前記音声取得部は、前記端末、および前記被介護者が滞在する範囲内に設けられたセンサーボックスの少なくともいずれかが有するマイクである、請求項５に記載の介護記録支援システム。
【請求項７】
前記位置情報取得部は、複数の前記発信部からそれぞれ発信され前記受信部に受信される前記電波にそれぞれ含まれる前記発信元情報と、前記電波のそれぞれの強度とに基づいて前記位置情報を取得する、請求項４〜６のいずれか一項に記載の介護記録支援システム。
【請求項８】
前記位置情報取得部は、一つの前記発信部から発信され前記受信部に受信される前記電波に含まれる前記発信元情報と、前記電波の強度とに基づいて前記位置情報を取得する、請求項４〜６のいずれか一項に記載の介護記録支援システム。
【請求項９】
前記位置情報取得部は、ＧＰＳおよび高度計の測定値に基づいて前記位置情報を取得する、請求項１〜６のいずれか一項に記載の介護記録支援システム。
【請求項１０】
前記位置情報に基づいて、前記施設内の所定の範囲内に前記介護者がいるかどうか判断する判断部をさらに有し、
前記記録部は、前記施設内の所定の範囲内に前記介護者がいると判断された場合にのみ前記設定情報と前記介護状況情報とを関連付けて記録する、請求項１〜９のいずれか一項に記載の介護記録支援システム。
【請求項１１】
前記端末に含まれ、
前記設定情報と前記介護状況情報とが関連付けて記録される度に、前記端末から音、光、および振動の少なくともいずれかを発生させる報知部をさらに有する、請求項１〜１０のいずれか一項に記載の介護記録支援システム。
【請求項１２】
施設内の介護者の位置を特定する位置情報を取得する位置情報取得部と、前記介護者の音声を取得する音声取得部と、を有する介護記録支援システムを制御するための制御プログラムであって、
前記位置情報を取得する手順（ａ）と、
前記介護者の前記音声を取得する手順（ｂ）と、
取得された前記音声に含まれる、被介護者の介護状況に関する介護状況情報を抽出する手順（ｃ）と、
取得された前記位置情報に基づいて前記被介護者の介護に関する設定情報を特定する手順（ｄ）と、
特定された前記設定情報と、抽出された前記介護状況情報とを関連付けて前記被介護者の介護記録として記録する手順（ｅ）と、
をコンピューターに実行させるための介護記録支援システム用プログラム。
【請求項１３】
端末を携帯する介護者の施設内の位置を特定する位置情報を取得する位置情報取得部と、前記介護者の音声を取得する音声取得部と、サーバーへ情報を送信する送信部と、を有する前記端末を制御するための制御プログラムであって、
前記位置情報を取得する手順（ａ）と、
前記介護者の前記音声を取得する手順（ｂ）と、
取得された前記音声に含まれる、被介護者の介護状況に関する介護状況情報を抽出する手順（ｃ）と、
抽出された前記介護状況情報と、取得された前記位置情報とを前記サーバーへ送信することにより、前記サーバーに前記位置情報に基づいて前記被介護者の介護に関する設定情報を特定させ、特定された前記設定情報と前記介護状況情報とを関連付けて前記被介護者の介護記録として記録させる手順（ｄ）と、
をコンピューターに実行させるための端末用プログラム。
【請求項１４】
端末を携帯する介護者の施設内の位置を特定する位置情報を取得する位置情報取得部と、前記介護者の音声を取得する音声取得部と、サーバーへ情報を送信する送信部と、を有する機器を制御するための制御プログラムであって、
前記端末と通信することにより前記位置情報を取得する手順（ａ）と、
前記介護者の前記音声を取得する手順（ｂ）と、
取得された前記音声に含まれる、被介護者の介護状況に関する介護状況情報を抽出する手順（ｃ）と、
抽出された前記介護状況情報と、取得された前記位置情報とを前記サーバーへ送信することにより、前記サーバーに前記位置情報に基づいて前記被介護者の介護に関する設定情報を特定させ、特定された前記設定情報と前記介護状況情報とを関連付けて前記被介護者の介護記録として記録させる手順（ｄ）と、
をコンピューターに実行させるための機器用プログラム。
【請求項１５】
介護者が携帯する端末から情報を受信する受信部と、被介護者の介護に関する設定情報を記憶する記憶部と、を有するサーバーを制御するための制御プログラムであって、
前記端末から、施設内の前記介護者の位置を特定する位置情報と、前記介護者の音声とを受信する手順（ａ）と、
受信された前記音声に含まれる、前記被介護者の介護状況に関する介護状況情報を抽出する手順（ｂ）と、
前記位置情報に基づいて、前記被介護者の介護に関する設定情報を特定する手順（ｃ）と、
特定された前記設定情報と抽出された前記介護状況情報とを関連付けて記録する手順（ｄ）と、
をコンピューターに実行させるためのサーバー用プログラム。
【発明の詳細な説明】
【技術分野】
【０００１】
本発明は介護記録支援システム、介護記録支援システム用プログラム、端末用プログラム、機器用プログラム、およびサーバー用プログラムに関する。
【背景技術】
【０００２】
介護施設などにおける介護の現場においては、介護者は、被介護者の介護状況を介護記録として記録する。
【０００３】
しかし、介護状況として記載する事項は、被介護者の顔色、発汗状態、体温、水分摂取量、排尿量、排尿状態、排便量、排便状態、排泄および食事の介助の有無、体位変換の有無、ならびに、洗濯、清掃、および寝具の手入れの有無など多岐にわたる。これらの事項を介護中にメモすることは困難であり、介護者は、介護終了後に記憶に基づいて介護状況を記録することが多い。このため、介護状況の記録が介護者にとって大きな負担となっており、また、介護状況の正確な記録が残せないことがある。
【０００４】
介護記録の支援に関連する先行技術としては、下記特許文献に記載のものがある。
【０００５】
特許文献１には次の技術が記載されている。すなわち、介護者と被介護者との間の電話機による通話を監視し、電話番号から介護者および被介護者を特定するとともに、通話の音声から特定症状用語を抽出する。抽出された特定症状用語が症状に関するものである場合は、当該症状に対応する病名および処置内容をテーブル上で検索することにより検知し、検知した病名および処置内容を介護者の電話機へ送信するとともに記録する。特定症状用語が処置結果に関するものである場合は、記録された病名および処置内容と対応させて処置結果を記録する。
【０００６】
特許文献２には次の技術が記載されている。すなわち、介護の際に被介護者宅に設置された集音手段により集音された音声に記録開始のためのキーワードが含まれている場合、音声のテキストデータへの変換およびデータベースへの記録を開始する。当該音声に介護実績として記録されるためのキーワードが含まれている場合、当該キーワードに対応する介護が、あらかじめ登録された介護スケジュールにしたがって実施されたことを示す介護実績情報を記録する。
【０００７】
特許文献３には次の技術が記載されている。すなわち、介護終了後、介護者の社員証のバーコードおよび訪問先にあらかじめ配布された会員証のバーコードを携帯電話に読み取らせることで、介護者および被介護者を特定する。その後、当該携帯電話のマイクから入力された介護サービスにおける測定項目、測定結果、および特記事項をテキスト変換し、サーバーの被介護者の介護実績ファイルに記録する。
【先行技術文献】
【特許文献】
【０００８】
【特許文献１】特開２０１６−２０６９５９号公報
【特許文献２】特開２００１−３２５３６３号公報
【特許文献３】特開２０１２−７３７３９号公報
【発明の概要】
【発明が解決しようとする課題】
【０００９】
しかし、特許文献１に記載された技術は、介護者が電話機を利用して被介護者と通話する必要があり煩雑であるという問題がある。また、処置内容および処置結果を記録するが、介護状況を記録しないという問題がある。特許文献２に記載された技術は、あらかじめ介護者、被介護者、および介護時間などが登録された介護スケジュールに基づいて介護者が特定される。このため、介護者は、介護スケジュールの登録や変更を事前に行う必要があるため煩雑であるいう問題がある。また、介護実績を記録するが、介護状況を記録しないという問題がある。特許文献３に記載された技術は、介護者および被介護者を特定するために携帯電話でバーコードを読み取る必要があるため煩雑であるという問題がある。
【００１０】
本発明は、このような問題を解決するためになされたものである。すなわち、介護者に余計な手間を強いることなく、記憶に頼らない正確な介護記録を実現可能な介護記録支援システム、介護記録支援システム用プログラム、端末用プログラム、機器用プログラム、およびサーバー用プログラムを提供することを目的とする。
【課題を解決するための手段】
【００１１】
本発明の上記課題は、以下の手段によって解決される。
【００１２】
（１）端末を携帯する介護者の施設内の位置を特定する位置情報を取得する位置情報取得部と、前記介護者の音声を取得する音声取得部と、取得された前記音声に含まれる、被介護者の介護状況に関する介護状況情報を抽出する抽出部と、取得された前記位置情報に基づいて前記被介護者の介護に関する設定情報を特定する特定部と、特定された前記設定情報と、抽出された前記介護状況情報とを関連付けて前記被介護者の介護記録として記録する記録部と、を有する介護記録支援システム。
【００１３】
（２）前記設定情報は、介護した日時、介護した場所、前記介護者の氏名、および前記被介護者の氏名を含む、上記（１）に記載の介護記録支援システム。
【００１４】
（３）前記抽出部は、前記音声に含まれる所定のキーワードを認識し、認識した前記キーワードと、前記キーワードの前および後の少なくともいずれか一方の言葉とを、前記介護状況情報として抽出し、前記記録部は、前記設定情報と前記介護状況情報とを、前記被介護者の介護記録に文字により記録する、上記（１）または（２）に記載の介護記録支援システム。
【００１５】
（４）前記施設内の前記被介護者が滞在する範囲内に設置され、電波の発信元を特定可能な発信元情報を含む前記電波を発信する発信部と、前記介護者により携帯され、前記電波を受信する受信部と、をさらに有し、前記位置情報取得部は、前記受信部により受信される前記電波に含まれる前記発信元情報と、前記電波の強度とに基づいて前記位置情報を取得する、上記（１）〜（３）のいずれかに記載の介護記録支援システム。
【００１６】
（５）前記施設内の前記被介護者が滞在する範囲内に新たに人が進入したことを検知する検知部をさらに有し、前記発信部は、前記検知部により前記被介護者が滞在する範囲内に新たに人が進入したことが検知されたときに前記電波の発信を開始する、上記（４）に記載の介護記録支援システム。
【００１７】
（６）前記音声取得部は、前記端末、および前記被介護者が滞在する範囲内に設けられたセンサーボックスの少なくともいずれかが有するマイクである、上記（５）に記載の介護記録支援システム。
【００１８】
（７）前記位置情報取得部は、複数の前記発信部からそれぞれ発信され前記受信部に受信される前記電波にそれぞれ含まれる前記発信元情報と、前記電波のそれぞれの強度とに基づいて前記位置情報を取得する、上記（４）〜（６）のいずれかに記載の介護記録支援システム。
【００１９】
（８）前記位置情報取得部は、一つの前記発信部から発信され前記受信部に受信される前記電波に含まれる前記発信元情報と、前記電波の強度とに基づいて前記位置情報を取得する、上記（４）〜（６）のいずれかに記載の介護記録支援システム。
【００２０】
（９）前記位置情報取得部は、ＧＰＳおよび高度計の測定値に基づいて前記位置情報を取得する、上記（１）〜（６）のいずれかに記載の介護記録支援システム。
【００２１】
（１０）前記位置情報に基づいて、前記施設内の所定の範囲内に前記介護者がいるかどうか判断する判断部をさらに有し、前記記録部は、前記施設内の所定の範囲内に前記介護者がいると判断された場合にのみ前記設定情報と前記介護状況情報とを関連付けて記録する、上記（１）〜（９）のいずれかに記載の介護記録支援システム。
【００２２】
（１１）前記端末に含まれ、前記設定情報と前記介護状況情報とが関連付けて記録される度に、前記端末から音、光、および振動の少なくともいずれかを発生させる報知部をさらに有する、上記（１）〜（１０）のいずれかに記載の介護記録支援システム。
【００２３】
（１２）施設内の介護者の位置を特定する位置情報を取得する位置情報取得部と、前記介護者の音声を取得する音声取得部と、を有する介護記録支援システムを制御するための制御プログラムであって、前記位置情報を取得する手順（ａ）と、前記介護者の前記音声を取得する手順（ｂ）と、取得された前記音声に含まれる、被介護者の介護状況に関する介護状況情報を抽出する手順（ｃ）と、取得された前記位置情報に基づいて前記被介護者の介護に関する設定情報を特定する手順（ｄ）と、特定された前記設定情報と、抽出された前記介護状況情報とを関連付けて前記被介護者の介護記録として記録する手順（ｅ）と、をコンピューターに実行させるための介護記録支援システム用プログラム。
【００２４】
（１３）端末を携帯する介護者の施設内の位置を特定する位置情報を取得する位置情報取得部と、前記介護者の音声を取得する音声取得部と、サーバーへ情報を送信する送信部と、を有する前記端末を制御するための制御プログラムであって、前記位置情報を取得する手順（ａ）と、前記介護者の前記音声を取得する手順（ｂ）と、
取得された前記音声に含まれる、被介護者の介護状況に関する介護状況情報を抽出する手順（ｃ）と、抽出された前記介護状況情報と、取得された前記位置情報とを前記サーバーへ送信することにより、前記サーバーに前記位置情報に基づいて前記被介護者の介護に関する設定情報を特定させ、特定された前記設定情報と前記介護状況情報とを関連付けて前記被介護者の介護記録として記録させる手順（ｄ）と、をコンピューターに実行させるための端末用プログラム。
【００２５】
（１４）端末を携帯する介護者の施設内の位置を特定する位置情報を取得する位置情報取得部と、前記介護者の音声を取得する音声取得部と、サーバーへ情報を送信する送信部と、を有する機器を制御するための制御プログラムであって、前記端末と通信することにより前記位置情報を取得する手順（ａ）と、前記介護者の前記音声を取得する手順（ｂ）と、取得された前記音声に含まれる、被介護者の介護状況に関する介護状況情報を抽出する手順（ｃ）と、抽出された前記介護状況情報と、取得された前記位置情報とを前記サーバーへ送信することにより、前記サーバーに前記位置情報に基づいて前記被介護者の介護に関する設定情報を特定させ、特定された前記設定情報と前記介護状況情報とを関連付けて前記被介護者の介護記録として記録させる手順（ｄ）と、をコンピューターに実行させるための機器用プログラム。
【００２６】
（１５）介護者が携帯する端末から情報を受信する受信部と、被介護者の介護に関する設定情報を記憶する記憶部と、を有するサーバーを制御するための制御プログラムであって、前記端末から、施設内の前記介護者の位置を特定する位置情報と、前記介護者の音声とを受信する手順（ａ）と、受信された前記音声に含まれる、前記被介護者の介護状況に関する介護状況情報を抽出する手順（ｂ）と、前記位置情報に基づいて、前記被介護者の介護に関する設定情報を特定する手順（ｃ）と、特定された前記設定情報と抽出された前記介護状況情報とを関連付けて記録する手順（ｄ）と、をコンピューターに実行させるためのサーバー用プログラム。
【発明の効果】
【００２７】
介護者の位置情報から介護に関する設定情報を特定し、当該介護者の音声から抽出した当該被介護者の介護状況情報と関連付けて記録する。これにより、介護者に余計な手間を強いることなく、記憶に頼らない正確な介護記録を実現できる。
【図面の簡単な説明】
【００２８】
【図１】介護記録支援システムの構成を説明するための説明図である。
【図２】携帯端末の構成を示すブロック図である。
【図３】施設内における介護者の位置情報を取得する携帯端末の作用について説明するための説明図である。
【図４】介護記録が作成される際の携帯端末の作用について説明するための説明図である。
【図５】サーバーの構成を示すブロック図である。
【図６】センサーボックスの構成を示すブロック図である。
【図７】携帯端末の動作を示すフローチャートである。
【図８】サーバーの動作を示すフローチャートである。
【図９】センサーボックスの構成を示すブロック図である。
【図１０】センサーボックスの作用について説明するための説明図である。
【図１１】センサーボックスの動作を示すフローチャートである。
【図１２】所定の範囲を居室に設定したときの介護状況情報の記録について説明するための説明図である。
【図１３】サーバーの動作を示すフローチャートである。
【発明を実施するための形態】
【００２９】
以下、図面を参照して、介護記録支援システム、介護記録支援システム用プログラム、端末用プログラム、および機器用プログラムについて詳細に説明する。なお、図面において、同一の要素には同一の符号を付し、重複する説明を省略する。また、図面の寸法比率は、説明の都合上誇張されており、実際の比率とは異なる場合がある。なお、介護記録には介護日誌などの介護に関する記録を広く含む。
【００３０】
（第１実施形態）
図１は、介護記録支援システムの構成を説明するための説明図である。
【００３１】
図１に示すように、介護記録支援システム１０は、端末１００、サーバー２００、ならびに、センサーボックス３００ａ、ナースコールボタン３００ｂ、および解除ボタン３００ｃといった介護用の機器を有する。
【００３２】
端末１００には、たとえば介護者が携帯する携帯端末１００ａおよびバーソナルコンピュータ１００ｂが含まれ得る。携帯端末１００ａにはタブレットおよび携帯電話が含まれ得る。以下、説明を簡単にするために、例として、端末１００が携帯端末１００ａであるものとして説明する。
【００３３】
図１においては、センサーボックス３００ａ、ナースコールボタン３００ｂ、および解除ボタン３００ｃがそれぞれ設置される介護施設内の居室（１号室〜ｎ号室）、共用トイレ、浴室、および食堂を示すフロアーマップも併せて示されている。なお、これらの介護用機器は、複数のフロアーに設置され得る。
【００３４】
介護者は、携帯端末１００ａを携帯した状態で、被介護者の居室５００において被介護者を介護する。携帯端末１００ａは、サーバー２００と通信可能に接続される。各センサーボックス３００ａは、各居室５００のベッドの位置に対応付けて各居室５００の天井に設置され得る。各センサーボックス３００ａは、サーバー２００とハブ４００を介して通信可能に接続され得る。看護師を呼び出すためのナースコールボタン３００ｂは、各居室５００において、ベッドの傍など被介護者が容易に押すことが可能な所定の場所に設置され得る。看護師の呼び出しを解除するための解除ボタン３００ｃは、たとえば各居室５００や共用トイレのドアの傍に設置され得る。
【００３５】
携帯端末１００ａの構成について説明する。
【００３６】
図２は、携帯端末の構成を示すブロック図である。図２に示すように、携帯端末１００ａは、制御部１０１、記憶部１０２、表示部１０３、入力部１０４、音声取得部１０５、通信部１０６、および報知部１０７を有する。これらの構成要素は、信号をやり取りするためのバス１０８を介して相互に接続される。制御部１０１は、抽出部を構成するとともに、通信部１０６とともに位置情報取得部を構成する。通信部１０６は受信部を構成する。
【００３７】
制御部１０１は、ＣＰＵ（Ｃｅｎｔｒａｌ  Ｐｒｏｃｅｓｓｉｎｇ  Ｕｎｉｔ）により構成され、プログラムにしたがって上記各部の制御や各種の演算処理を行う。
【００３８】
記憶部１０２は、たとえばＲＡＭ（Ｒａｎｄｏｍ  Ａｃｃｅｓｓ  Ｍｅｍｏｒｙ）、フラッシュメモリ、およびメモリーカードにより構成され得る。ＲＡＭは、揮発性の記憶素子でありＣＰＵの作業領域として一時的にプログラムやデータを記憶する。フラッシュメモリは、オペレーティングシステムその他の各種プログラムや各種データを記憶する。メモリーカードは各種データを記憶する。
【００３９】
表示部１０３は、たとえば液晶ディスプレイであり、各種情報を表示する。
【００４０】
入力部１０４は、たとえばタッチパネルや各種キーにより構成される。入力部１０４は、各種操作、入力のために使用される。
【００４１】
音声取得部１０５は、たとえばマイクであり、音声を取得する。
【００４２】
通信部１０６は、外部機器と通信するためのインターフェースである。通信には、ＬＴＥ、Ｗ−ＣＤＭＡ、ＩＥＥＥ８０２．１１、Ｂｌｕｅｔｏｏｔｈ（登録商標）などの通信規格が用いられる。通信部１０６は、サーバー２００と相互に通信する。さらに、通信部１０６は、センサーボックス３００ａなどの介護用機器から発信される電波を受信する。
【００４３】
報知部１０７は、携帯端末１００ａから音、光、および振動の少なくともいずれかを報知信号として発生させる。報知部１０７は、たとえばスピーカー、発光ダイオード、およびバイブレーターにより構成され得る。
【００４４】
携帯端末１００ａの作用について説明する。
【００４５】
図３は、施設内における介護者の位置情報を取得する携帯端末の作用について説明するための説明図である。図３の上段の図は、各居室と通路のフロアーマップであり、センサーボックス３００ａなどの介護用機器の設置場所が示されている。図３の下段の図は、上段の図に対応する各居室および通路において各介護用機器から電波が発信される状態が示されている。当該下段の図には、１号室にいる介護者Ａ、通路にいる介護者Ｂ、２号室にいる介護者Ｃが併せて示されている。
【００４６】
制御部１０１は、センサーボックス３００ａなどの介護用機器から発信されて通信部１０６により受信される電波に含まれる送信元情報から介護用機器の設置場所を特定する。送信元情報には、たとえば介護用機器のＭＡＣアドレスが含まれる。送信元情報と介護用機器の設置場所との関係はあらかじめ記憶部１０２に登録され、介護用機器の設置場所の特定に利用され得る。さらに制御部１０１は、通信部１０６により受信される電波の強度に基づいて、介護用機器の設置場所から携帯端末１００ａまでの距離を特定する。電波の強度と介護用機器の設置場所からの距離との関係はあらかじめ記憶部１０２に登録され、介護用機器の設置場所から携帯端末１００ａまでの距離の特定に利用され得る。これにより、制御部１０１は、施設内における介護者の位置を特定する位置情報（以下、単に「位置情報」とも称する）を取得する。位置情報には、たとえば部屋番号や通路など施設内の場所の情報が含まれる。位置情報には、さらに、たとえば携帯端末１００ａのＭＡＣアドレスが含まれる。これにより、当該施設内の場所に、当該ＭＡＣアドレスの携帯端末１００ａを携帯する介護者がいることが特定できる。なお、制御部１０１は、携帯端末１００ａがＧＰＳおよび高度計を備える場合は、ＧＰＳおよび高度計による測定値に基づいて位置情報を取得してもよい。
【００４７】
制御部１０１は、複数の介護用機器からそれぞれ発信されて通信部１０６により受信される電波にそれぞれ含まれる発信元情報と、当該電波のそれぞれの強度とに基づいて位置情報を取得し得る。すなわち、制御部１０１は、介護用機器の設置場所からの距離を複数の介護用機器について取得し、三角測量の原理により、より正確に位置情報を取得し得る。制御部１０１は、一つの介護用機器から発信され、通信部１０６により受信される電波に含まれる発信元情報と、当該電波の強度とに基づいて位置情報を取得してもよい。
【００４８】
図４は、介護記録が作成される際の携帯端末の作用について説明するための説明図である。
【００４９】
制御部１０１は、音声取得部１０５により取得される介護者の介護中の音声を所定間隔ごとにテキストデータに変換する。制御部１０１は、所定のキーワードが当該テキストデータに含まれている場合はキーワードと当該キーワードの前および後の少なくともいずれか一方の言葉を被介護者の介護状況情報として抽出する。すなわち、制御部１０１は、音声取得部１０５により取得される介護者の音声に含まれる所定のキーワードを認識し、認識した所定のキーワードと、当該キーワードの前または後の少なくともいずれか一方の言葉とを介護状況情報として抽出する。所定間隔は任意の間隔とし得る。所定のキーワードは、介護状況に関するキーワードとしてあらかじめ設定され得る。介護状況とは、介護中の被介護者の状態であり、たとえば被介護者の顔色、発汗状態、体温、水分摂取量、排尿量、排尿状態、排便量、排便状態、排泄および食事の介助の有無、体位変換の有無、ならびに、洗濯、清掃、および寝具の手入れの有無が含まれる。図４においては、所定のキーワードとして「体温」が、介護状況として「３６．５℃」が、介護状況情報として「体温  ３６．５℃」が例示されている。他の例としては、所定のキーワードが「水分摂取」、介護状況が「１００ミリリットル」、介護状況情報として「１００ミリリットル  水分摂取」などが挙げられる。
【００５０】
制御部１０１は、介護状況情報を抽出するごとに、抽出した介護状況情報を位置情報とともに通信部１０６によりサーバー２００に送信する。後述するように、サーバー２００は、携帯端末１００ａから位置情報および介護状況情報を受信すると、位置情報に基づいて被介護者の介護に関する設定情報を特定する。介護に関する設定情報には、介護した日時、介護した場所、介護者の氏名、および被介護者の氏名が含まれる。サーバー２００は、施設のデータベース２１０や記憶部２０２に登録された、介護に関する設定情報を利用し得る。サーバー２００は、特定した、介護に関する設定情報と介護状況情報を関連付けて介護記録として記録する。
【００５１】
制御部１０１は、サーバー２００から、介護に関する設定情報と介護状況情報とが関連付けされて記録されたことの通知（以下、「記録通知」と称する）を受信する。制御部１０１は、記録通知が受信されるたびに、報知部１０７により、携帯端末１００ａから報知信号を発生させる。
【００５２】
サーバー２００の構成について説明する。
【００５３】
図５は、サーバーの構成を示すブロック図である。図５に示すように、サーバー２００は、制御部２０１、記憶部２０２、表示部２０３、入力部２０４、および通信部２０５を有する。これらの構成要素は、信号をやり取りするためのバス２０６を介して相互に接続される。制御部２０１は特定部を構成するとともに、記憶部２０２とともに記録部を構成する。サーバー２００の構成要素は、携帯端末１００ａの対応する構成要素と基本的に同様であるため、差異点について説明し、重複する説明は省略する。
【００５４】
記憶部１０２は、たとえばＲＡＭ、ＲＯＭ（Ｒｅａｄ  Ｏｎｌｙ  Ｍｅｍｏｒｙ）、およびＨＤＤ（Ｈａｒｄ  Ｄｉｓｋ  Ｄｒｉｖｅ）により構成され得る。ＲＯＭは不揮発性の記憶素子であり、各種プログラムおよび各種データを記憶する。ＨＤＤは、オペレーティングシステムその他の各種プログラムや各種データを記憶する。
【００５５】
通信部２０５は、外部機器と通信するためのインターフェースである。通信には、イーサネット（登録商標）、ＳＡＴＡ、ＰＣＩ  Ｅｘｐｒｅｓｓ、ＵＳＢ、ＩＥＥＥ１３９４等の規格によるネットワークインターフェースや、Ｂｌｕｅｔｏｏｔｈ（登録商標）、ＩＥＥＥ８０２．１１などの無線通信インターフェース等の各種ローカル接続インターフェースなどが用いられる。
【００５６】
サーバー２００の作用について説明する。
【００５７】
制御部２０１は、介護状況情報を位置情報とともに通信部２０５により受信する。制御部２０１は、位置情報に基づいて、上述した介護に関する設定情報を特定する。具体的には、制御部２０１は、たとえば位置情報に含まれる部屋番号に基づいて施設のデータベース２１０を検索することで被介護者の氏名などを介護に関する設定情報として特定し得る。また、制御部２０１は、位置情報に含まれる、携帯端末１００ａのＭＡＣアドレスに基づいて施設のデータベース２１０を検索することで、当該ＭＡＣアドレスの携帯端末１００ａを携帯する介護者の氏名を介護に関する設定情報として特定し得る。介護に関する設定情報と位置情報との関係はあらかじめ施設のデータベース２１０に登録され、介護に関する設定情報の特定に利用され得る。制御部２０１は、特定された、介護に関する設定情報と介護状況情報とを関連付けて介護記録として記憶部２０２に記録する。
【００５８】
制御部２０１は、介護に関する設定情報と介護状況情報とを関連付けて記録するたびに、記録通知を通信部２０５により携帯端末１００ａに送信する。なお、記録通知に、現時点で記録されている介護記録を含ませてもよい。これにより、携帯端末１００ａにおいて、現時点の介護記録を表示させ得る。
【００５９】
センサーボックス３００ａの構成について説明する。
【００６０】
図６は、センサーボックスの構成を示すブロック図である。図６に示すように、センサーボックス３００ａは、制御部３０１、記憶部３０２、表示部３０３、入力部３０４、光学検出部３０６、および通信部３０７を有する。これらの構成要素は、信号をやり取りするためのバス３０９を介して相互に接続される。制御部３０１は光学検出部３０６とともに検知部を構成する。なお、センサーボックス３００ａは、マイクロ波の電波を放射および受信して被介護者の生体情報を検出するための図示しない生体情報検出部をさらに有し得る。センサーボックス３００ａの構成要素のうち、携帯端末１００ａの構成要素と対応するものは、携帯端末１００ａと同様であるため、重複する説明は省略する。
【００６１】
光学検出部３０６は、たとえばカメラであり、所定の撮影範囲の動画を取得する。所定の範囲は、居室５００内の一部でもよく全体でもよい。光学検出部３０６は、ベッドを中心とする撮影範囲の動画を取得することにより、被介護者の起床、離床、および転倒などを動画により検出し得る。光学検出部３０６は、広角レンズのカメラを備えることで居室５００内全体の動画を取得し得る。
【００６２】
通信部３０７は、外部機器と電波により無線で通信するためのインターフェースである。通信部３０７は、センサーボックス３００ａを特定するための発信元情報を含む電波を発信する。発信元情報は、たとえばＭＡＣアドレスである。通信部３０７は、外部機器と有線で通信するためのインターフェースでもある。通信部３０７は、ハブ４００を介してサーバー２００と有線で接続され得る。これにより、通信部３０７は、光学検出部３０６により撮影された動画のデータを含む各種データをサーバー２００に送信するとともに、サーバー２００から制御信号を含む各種信号を受信する。
【００６３】
なお、ナースコールボタン３００ｂおよび解除ボタン３００ｃも、センサーボックス３００ａと同様に、それぞれナースコールボタン３００ｂおよび解除ボタン３００ｃを特定するための発信元情報を含む電波を発信し得る。
【００６４】
センサーボックス３００ａの作用について説明する。
【００６５】
制御部３０１は、光学検出部３０６により取得された画像に基づいて、被介護者が滞在する範囲内に新たに人が進入したことを検知する。被介護者が滞在する範囲内に新たに進入する人は介護者である可能性が比較的高い。したがって、被介護者が滞在する範囲内に新たに進入する人を検知することにより、被介護者が滞在する範囲内に介護者が入ったと推定できる。被介護者が滞在する範囲内とは、たとえばセンサーボックス３００ａが設置された居室５００内である。制御部３０１は、光学検出部３０６により取得された画像に含まれる人の数が増加したことを画像認識により認識することで、被介護者が滞在する範囲内に新たに人が進入したことを検知し得る。制御部３０１は、被介護者が滞在する範囲内に新たに人が進入したことを検知したときに、通信部３０７からの電波の発信を開始し得る。
【００６６】
図７は、携帯端末の動作を示すフローチャートである。本フローチャートは、携帯端末１００ａの記憶部１０２に記憶されたプログラムにしたがい、制御部１０１により実行され得る。
【００６７】
制御部１０１は、通信部１０６により受信された、センサーボックス３００ａが発信する電波に含まれる発信元情報と当該電波の強度とに基づいて、介護者の位置情報を取得する（Ｓ１０１）。
【００６８】
制御部１０１は、音声取得部１０５により介護者の音声を取得する（Ｓ１０２）。
【００６９】
制御部１０１は、取得された音声をテキストデータに変換する（Ｓ１０３）。
【００７０】
制御部１０１は、テキストデータにおいて所定のキーワードを検出するまで、ステップＳ１０１〜Ｓ１０３を繰り返し実行する（Ｓ１０４：ＮＯ）。
【００７１】
制御部１０１は、テキストデータにおいて所定のキーワードを検出したときは（Ｓ１０４：ＹＥＳ）、キーワードと、当該キーワードの前および後の少なくともいずれか一方の言葉とを介護状況情報として抽出する（Ｓ１０５）。
【００７２】
制御部１０１は、介護者の位置情報と介護状況情報とを通信部１０６によりサーバー２００へ送信する（Ｓ１０６）。
【００７３】
制御部１０１は、サーバー２００からの記録通知を待ち（Ｓ１０７：ＮＯ）、記録通知をサーバー２００から受信したときは（Ｓ１０７：ＹＥＳ）、報知部１０７により携帯端末１００ａから報知信号を発生させる（Ｓ１０８）。
【００７４】
図８は、サーバーの動作を示すフローチャートである。本フローチャートは、サーバー２００の記憶部２０２に記憶されたプログラムにしたがい、制御部２０１により実行され得る。
【００７５】
制御部２０１は、介護者の位置情報と介護状況情報とを通信部２０５により受信したときは（Ｓ２０１：ＹＥＳ）、位置情報に基づいて介護に関する設定情報を特定する（Ｓ２０２）。制御部２０１は、介護関連情報を介護に関する設定情報と関連付けて介護記録として記録する（Ｓ２０３）。制御部２０１は、記録通知を携帯端末１００ａに送信する（Ｓ２０４）。
【００７６】
本実施形態は以下の効果を奏する。
【００７７】
介護者の位置情報から介護に関する設定情報を特定し、当該介護者の音声から抽出した当該被介護者の介護状況情報と関連付けて記録する。これにより、介護者に余計な手間を強いることなく、記憶に頼らない正確な介護記録を実現できる。
【００７８】
さらに、介護に関する設定情報に、介護した日時、介護した場所、介護者の氏名、および被介護者の氏名を含める。これにより、より重要性の高い介護に関する情報を介護記録に盛り込むことができる。
【００７９】
さらに、介護者の音声に含まれる所定のキーワードを認識し、認識したキーワードと、キーワードの前および後の少なくともいずれか一方の言葉とを、介護状況情報として抽出し、文字による介護記録を作成する。これにより、より簡単に、漏れのない介護記録を実現できる。
【００８０】
さらに、施設内の被介護者が滞在する範囲内に、電波の発信元を特定可能な発信元情報を含む電波を発信する発信部を配置し、介護者が携帯する受信部で受信される電波に含まれる発信元情報と、電波の強度とに基づいて位置情報を取得する。これにより、設備の追加を抑制し、より低コストで介護記録を実現できる。
【００８１】
さらに、施設内の被介護者が滞在する範囲内に新たに人が進入したことを検知したときに発信部からの電波の発信を開始する。これにより、発信部の消費電力を低減することで、介護記録を継続するためのコストを抑制できる。
【００８２】
さらに、介護者が携帯する端末に含まれるマイクにより介護者の音声を取得する。これにより、設備の追加をさらに抑制し、さらに低コストで介護記録を実現できる。
【００８３】
さらに、複数の発信部からそれぞれ発信される電波にそれぞれ含まれる発信元情報と、電波のそれぞれの強度とに基づいて位置情報を取得する。これにより、精度の高い位置情報を取得できる。
【００８４】
さらに、一つの発信部から発信される電波に含まれる発信元情報と、電波の強度とに基づいて位置情報を取得する。これにより、発信部の数を削減することで、より低コストで位置情報を取得できる。
【００８５】
さらに、ＧＰＳおよび高度計の測定値に基づいて位置情報を取得する。これにより、発信部を設ける必要がなくなるため、さらに低コストで位置情報を取得できる。
【００８６】
さらに、介護者が携帯する端末により介護者の音声を取得し、介護に関する設定情報と介護状況情報とが関連付けて記録される度に、端末から音、光、および振動の少なくともいずれかを発生させる。これにより、音声で発した介護状況情報が介護記録として記録されたことを聴覚、視覚、または触覚で確認しつつ介護を継続できる。
【００８７】
（第２実施形態）
本実施形態は、第１実施形態と次の点で異なる。すなわち、本実施形態は、センサーボックス３００ａと携帯端末１００ａとの間で通信することでセンサーボックス３００ａが介護者の位置情報を取得する。センサーボックス３００ａが介護者の音声を取得し、音声に含まれる介護状況情報を抽出し、位置情報とともにサーバー２００へ送信する。そして、サーバー２００からの記録通知をセンサーボックス３００ａが受信したときに、センサーボックス３００ａが報知信号を発生する。その他の点については、第１実施形態と同様であるため、重複する記載は省略または簡略化する。
【００８８】
携帯端末１００ａの作用について説明する。なお、携帯端末１００ａの構成は、図２に示す第１実施形態の構成と同様である。
【００８９】
制御部１０１は、センサーボックス３００ａを特定するための発信元情報を含む電波をセンサーボックス３００ａから通信部１０６により受信する。制御部１０１は、当該電波の受信に対する応答として、携帯端末１００ａを特定するための情報を含む電波を通信部１０６によりセンサーボックス３００ａへ送信する。携帯端末１００ａを特定するための情報には、たとえば携帯端末１００ａのＭＡＣアドレスが含まれ得る。以下、携帯端末１００ａを特定するための情報を、「端末のアドレス」と称する。これにより、携帯端末１００ａはセンサーボックス３００ａと通信する。なお、制御部１０１は、センサーボックス３００ａを特定するための発信元情報を含む電波がセンサーボックス３００ａから発信されなくても、自主的に端末のアドレスを含む電波を通信部１０６によりセンサーボックス３００ａへ送信し得る。
【００９０】
センサーボックス３００ａの構成について説明する。
【００９１】
図９は、本実施形態に係る介護記録支援システムのセンサーボックスの構成を示すブロック図である。センサーボックス３００ａは、制御部３０１、記憶部３０２、表示部３０３、入力部３０４、音声取得部３０５、光学検出部３０６、通信部３０７、および報知部３０８を有する。これらの構成要素は、信号をやり取りするためのバス３０９を介して相互に接続される。
【００９２】
音声取得部３０５は、たとえばマイクであり、音声を取得する。
【００９３】
通信部３０７は、外部機器と電波により無線で通信するためのインターフェースである。上述したように、通信部３０７は、センサーボックス３００ａを特定するための発信元情報を含む電波を発信する。通信部３０７は、当該電波を受信した携帯端末１００ａから受信の応答として送信される、端末のアドレスを含む電波を受信する。これにより、通信部３０７は、センサーボックス３００ａと通信する。
【００９４】
報知部３０８は、センサーボックス３００ａから音、および光の少なくともいずれかを報知信号として発生させる。報知部３０８は、たとえばスピーカーおよび発光ダイオードにより構成され得る。
【００９５】
センサーボックス３００ａの作用について説明する。
【００９６】
図１０は、センサーボックスの作用について説明するための説明図である。
【００９７】
制御部３０１は、光学検出部３０６により取得された画像に基づいて、画像認識により、被介護者が滞在する範囲内に新たに人が進入したことを検知する。これにより、被介護者が滞在する範囲内に介護者が入ったと推定することで、当該範囲内の介護者を検知する。制御部３０１は、被介護者が滞在する範囲内に新たに人が進入したことを検知したときに、通信部３０７による電波の発信を開始する。制御部３０１は、当該電波を受信した携帯端末１００ａから応答として発信される電波を通信部３０７により受信する。これにより、センサーボックス３００ａと携帯端末１００ａとの通信が開始される。
【００９８】
制御部３０１は、携帯端末１００ａから発信される電波を通信部３０７により受信することで、受信した電波に含まれる端末のアドレスを取得する。
【００９９】
制御部３０１は、音声取得部３０５により取得される介護者の音声を所定間隔ごとにテキストデータに変換する。制御部３０１は、所定のキーワードが当該テキストデータに含まれている場合は、当該キーワードを含む介護状況情報を当該テキストデータから抽出する。
【０１００】
制御部３０１は、介護状況情報を抽出するたびに、抽出した介護状況情報を位置情報とともに通信部３０７によりサーバー２００に送信する。位置情報には、たとえば発信元情報と端末のアドレスが含まれる。これにより、当該発信元情報により特定されるセンサーボックス３００ａが設置された居室５００に、当該端末のアドレスの携帯端末１００ａを携帯する介護者がいることが特定できる。発信元情報と居室５００との関係は、あらかじめ施設のデータベース２１０に登録されることで、居室５００の特定に利用され得る。なお、発信元情報に代えて、部屋番号を位置情報としてサーバー２００に送信してもよい。この場合は、センサーボックス３００ａが設置された部屋番号があらかじめ記憶部３０２に登録されることで利用され得る。
【０１０１】
制御部３０１は、サーバー２００から記録通知を受信するたびに、報知部３０８により、センサーボックス３００ａから報知信号を発生させる。
【０１０２】
図１１は、センサーボックスの動作を示すフローチャートである。本フローチャートは、センサーボックス３００ａの記憶部３０２に記憶されたプログラムにしたがい、制御部３０１により実行され得る。
【０１０３】
制御部３０１は、光学検出部３０６により、センサーボックス３００ａが設置された居室内で介護者を検出した場合は（Ｓ３０１：ＹＥＳ）、携帯端末１００ａとの通信を開始する（Ｓ３０２）。すなわち、制御部３０１は、発信元情報を含む電波を発信し、当該電波を受信した携帯端末１００ａからの応答として、端末のアドレスを含む電波を受信することで携帯端末１００ａとの通信を開始する。
【０１０４】
制御部３０１は、介護者の位置情報として、送信元情報および端末のアドレスを取得する（Ｓ３０３）。
【０１０５】
制御部３０１は、音声取得部３０５により介護者の音声を取得する（Ｓ３０４）。
【０１０６】
制御部３０１は、取得された音声をテキストデータに変換する（Ｓ３０５）。
【０１０７】
制御部３０１は、テキストデータにおいて所定のキーワードを検出するまで、ステップＳ３０４およびステップＳ３０５を繰り返し実行する（Ｓ３０６：ＮＯ）。
【０１０８】
制御部３０１は、テキストデータにおいて所定のキーワードを検出したときは（Ｓ３０６：ＹＥＳ）、キーワードと、当該キーワードの前および後の少なくともいずれか一方の言葉とを介護状況情報として抽出する（Ｓ３０７）。
【０１０９】
制御部３０１は、介護者の位置情報と介護状況情報とを通信部３０７によりサーバー２００へ送信する（Ｓ３０８）。
【０１１０】
制御部３０１は、記録通知をサーバー２００から受信したときは（Ｓ３０９：ＹＥＳ）、報知部３０８により報知信号を発生させる（Ｓ３１０）。
【０１１１】
本実施形態は以下の効果を奏する。
【０１１２】
センサーボックスによる端末との通信により端末を特定することで、センサーボックスにおいて、端末を携帯する介護者の位置情報を取得する。センサーボックスおいて取得された介護者の音声から介護状況情報を抽出して、位置情報とともにセンサーボックスからサーバーに送信する。サーバーに、位置情報に基づいて介護に関する設定情報を特定させ、介護状況情報と関連付けて記録させる。これにより、介護者に余計な手間を強いることなく、記憶に頼らない正確な介護記録を実現できる。
【０１１３】
（第３実施形態）
本実施形態は、第１実施形態と次の点で異なる。すなわち、本実施形態は、介護者の位置情報に基づいて、介護者が施設の所定の範囲内にいると判断された場合にのみ、介護状況情報を介護に関連する情報と関連付けて記録する。記録可能な所定の範囲は、自由に設定できる。その他の点については、第１実施形態と同様であるため、重複する記載は省略または簡略化する。
【０１１４】
サーバー２００の作用について説明する。なお、サーバー２００の構成は第１実施形態と同様に、図５に示すブロック図の構成である。制御部２０１は、判断部を構成する。
【０１１５】
図１２は、所定の範囲を居室に設定したときの介護状況情報の記録について説明するための説明図である。図１２の上段の図は、居室と通路のフロアーマップであり、センサーボックス３００ａなどの介護用機器の設置場所が示されている。図１２の下段の図は、上段の図に対応する居室および通路において各介護用機器から電波が発信される状態が示されている。当該下段の図には、１号室にいる介護者Ａ、通路にいる介護者Ｂが併せて示されている。
【０１１６】
制御部２０１は、介護状況情報を位置情報とともに通信部２０５により受信する。制御部２０１は、位置情報に基づいて介護者が施設の所定の範囲内にいるかどうか判断する。施設の所定の範囲は、介護者が介護状況を音声として発する可能性が高い範囲にあらかじめ自由に設定され得る。施設の所定の範囲には、たとえば居室５００が含まれる。図１２においては、所定の範囲が居室５００とされている。このため、制御部２０１は、介護者Ａが所定の範囲にいると判断し、介護者Ｂは所定の範囲にいないと判断する。制御部２０１は、所定の範囲内に介護者がいると判断した場合にのみ、位置情報から介護に関する設定情報を特定し、介護状況情報と関連付けて記憶部２０２に記録する。したがって、制御部２０１は、介護者Ａが携帯する携帯端末１００ａから受信した介護状況情報および位置情報については、位置情報から介護に関する設定情報を特定し、介護状況情報と関連付けて記憶部２０２に記録する。一方、制御部２０１は、介護者Ｂが携帯する携帯端末１００ａから受信した介護状況情報および位置情報については、介護状況情報を記録せずに破棄する。
【０１１７】
図１３は、サーバーの動作を示すフローチャートである。本フローチャートは、サーバー２００の記憶部２０２に記憶されたプログラムにしたがい、制御部２０１により実行され得る。
【０１１８】
制御部２０１は、介護者の位置情報と介護状況情報とを通信部２０５により受信したときは（Ｓ４０１：ＹＥＳ）、位置情報に基づいて、施設の所定の範囲として設定された居室５００に介護者がいるかどうか判断する（Ｓ４０２）。
【０１１９】
制御部２０１は、介護者が居室５００にいないと判断した場合は（Ｓ４０２：ＮＯ）、受信した位置情報と介護状況情報を破棄する（Ｓ４０４）。
【０１２０】
制御部２０１は、介護者が居室５００にいると判断した場合は（Ｓ４０２：ＹＥＳ）、位置情報に基づいて介護に関する設定情報を特定する（Ｓ４０４）。制御部２０１は、介護状況情報を介護に関する設定情報と関連付けて記録する（Ｓ４０５）。制御部２０１は、記録通知を携帯端末１００ａに送信する（Ｓ４０６）。
【０１２１】
本実施形態は以下の効果を奏する。
【０１２２】
位置情報に基づいて、施設内の所定の範囲内に介護者がいると判断された場合にのみ介護に関する設定情報と介護状況情報とを関連付けて記録する。これにより、介護状況と関係のない冗長な情報が介護記録に記載されることを抑止できる。
【０１２３】
本発明は、上述した実施形態に限定されない。
【０１２４】
たとえば、携帯端末、サーバー、センサーボックス、および施設のデータベースがそれぞれ備える機能の一部または全部は、互いに他の機器の機能として備えられてもよい。
【０１２５】
また、第２実施形態において、介護者の音声をセンサーボックスにおいて取得しているが、携帯端末において音声を取得して、センサーボックスへ端末のアドレスとともに送信するようにしてもよい。
【０１２６】
また、第３実施形態において、施設の所定の範囲には、たとえば居室５００に近い通路の一部が含まれてもよい。
【０１２７】
また、介護者が携帯する携帯端末のＭＡＣアドレスにより介護者を特定することに代えて、センサーボックスの光学検出部により取得された動画を利用して画像認識により介護者を特定してもよい。
【０１２８】
また、音声取得部は、無線通信機能を有する単体のマイクであってもよい。
【０１２９】
また、実施形態においてプログラムにより実行される処理の一部または全部を回路などのハードウェアに置き換えて実施されてもよい。
【符号の説明】
【０１３０】
１０    介護記録支援システム、
１００    端末、
１０１    制御部、
１０２    記憶部、
１０３    表示部、
１０４    入力部、
１０５    音声取得部、
１０６    通信部、
１０７    報知部
２００    サーバー、
２０１    制御部、
２０２    記憶部、
２０３    表示部、
２０４    入力部、
２０５    通信部、
３００ａ    センサーボックス、
３００ｂ    ナースコールボタン、
３００ｃ    解除ボタン、
３０１    制御部、
３０２    記憶部、
３０３    表示部、
３０４    入力部、
３０５    音声取得部、
３０６    光学検出部、
３０７    通信部、
３０８    報知部、
５００    居室。
【図１】
2019008656.tif 000003
【図２】
2019008656.tif 000004
【図３】
2019008656.tif 000005
【図４】
2019008656.tif 000006
【図５】
2019008656.tif 000007
【図６】
2019008656.tif 000008
【図７】
2019008656.tif 000009
【図８】
2019008656.tif 000010
【図９】
2019008656.tif 000011
【図１０】
2019008656.tif 000012
【図１１】
2019008656.tif 000013
【図１２】
2019008656.tif 000014
【図１３】
2019008656.tif 000015